(57)【要約】【課題】植生ユニットを屋根不燃材として使用することができなかった。植物が植生ユニットに根付く前に、強風等によって植物マットが飛ばされたり移動したりする虞があった。【解決手段】植物を育成するための植生ユニット１であって、不燃性金属によって構成された略箱型の容器２と、該容器２の内側底面に水平方向に向って並列に形成される複数本のリブ２ｃ・２ｃ・・・とを具備し、前記リブ２ｃ・２ｃ・・・上に樹脂製のメッシュ４を着脱自在に配設した。【選択図】図１
2006304743.tif 000002
【特許請求の範囲】
【請求項１】
植物を育成するための植生ユニットであって、
不燃性金属によって構成された略箱型の容器と、
該容器の内側底面に対して直角上方に向って並列に形成される複数本のリブとを具備したことを特徴とする植生ユニット。
【請求項２】
前記リブ上に樹脂製のメッシュを配設したことを特徴とする請求項１に記載の植生ユニット。
【請求項３】
前記リブ上に樹脂製のメッシュを着脱自在に配設したことを特徴とする請求項１に記載の植生ユニット。
【請求項４】
前記容器外周の上部に切欠を設けたことを特徴とする請求項１乃至請求項３のいずれか一項に記載の植生ユニット。
【請求項５】
植物を育成する植生ユニットであって、
不燃性金属によって断面視略Ｕ字状に構成された容器に、
内部に格子状のリブが設けられた複数の樹脂製マットを連結して並べ、
該格子状のリブ上に固設され上方に植物マットが配設されるメッシュを配設したことを特徴とする植生ユニット。
【発明の詳細な説明】
【技術分野】
【０００１】
本発明は、屋根や屋上やベランダ等で植物を育成するための植生ユニットの技術に関する。
【背景技術】
【０００２】
従来、建物の屋根、屋上、ベランダ、バルコニー等の自然の土壌が存在しない場所で植物を育成して緑化を行なう場合には、該屋根等にレンガ、コンクリートブロック等で枠組みを作り、該枠組みの内側に土壌を入れ、該土壌に所望の植物を植えて、周囲に砂利等を配設する等していた。
しかし、このような工法では、屋根、屋上、ベランダ、バルコニー等の模様替えを行う場合や、植物や土壌自体の撤去を行なう場合において、土壌の搬出や、後処理や、必要に応じて設けられた給水設備及び排水施設の撤去等を行なう必要があった。そして、そのような作業は非常に煩雑であり、且つ、多大な作業時間及び作業費用が必要となっていた。
また、このような工法では、特に給水等の維持管理作業に多大な時間と費用と労力が必要であった。
【０００３】
そのため、近年、予め箱型等の所定形状に形成されている植生ユニットに土壌を入れて植物を植えておき、屋根等の緑化が必要となる領域に該植生ユニット自体を敷設する方法が提案され、実現されている。
そして、植生ユニット同士の結合を強固にして植生ユニット同士が離れることが無いようにしたり、植生ユニット同士の高さを均一にする等して、人間が植生ユニット上を歩いても植生ユニットの境目で躓いたりすることが無いようにしている（例えば、特許文献１参照。）。
【特許文献１】特開２００３−１８０１６７号公報
【発明の開示】
【発明が解決しようとする課題】
【０００４】
しかし、従来の植生ユニットでは、植生ユニット自体が樹脂製のものが多く、植生ユニットを屋根不燃材として使用することができなかった。また、勾配屋根上に給水を行なう場合は、水下方向に水が集中してしまい、植生ユニットの植物の生育に偏りが生じていた。加えて、植物の根付かせに土壌を使用していたため、植生ユニットの重量が大きくなり、その結果屋根への負担が大きくなっていた。また、屋根に勾配がある場合には土壌が雨水とともに下方向に流れてしまい、軒下にある樋が目詰まりを起こすことが多かった。そして、植生ユニットに植物マットを配設した後、植物が植生ユニットに根付く前に、強風等によって植物マットが飛ばされたり移動したりする虞もあり、植物が植生ユニットに根付くまでの間植生ユニットに網等を被せる必要があった。
【課題を解決するための手段】
【０００５】
本発明の解決しようとする課題は以上の如くであり、次にこの課題を解決するための手段を説明する。
【０００６】
即ち、請求項１においては、植物を育成するための植生ユニットであって、
不燃性金属によって構成された略箱型の容器と、
該容器の内側底面に対して直角上方に向って並列に形成される複数本のリブとを具備したものである。
【０００７】
請求項２においては、前記リブ上に樹脂製のメッシュを配設したものである。
【０００８】
請求項３においては、前記リブ上に樹脂製のメッシュを着脱自在に配設したものである。
【０００９】
請求項４においては、前記容器外周の上部に切欠を設けたものである。
【００１０】
請求項５においては、植物を育成する植生ユニットであって、
不燃性金属によって断面視略Ｕ字状に構成された容器に、
内部に格子状のリブが設けられた複数の樹脂製マットを連結して並べ、
該格子状のリブ上に固設され上方に植物マットが配設されるメッシュを配設したものである。
【発明の効果】
【００１１】
本発明の効果として、以下に示すような効果を奏する。
【００１２】
請求項１においては、植生ユニットを屋根不燃材として使用することができる。また、勾配屋根上に給水を行っても、水下方向だけに水が集中することなく、リブの間隔毎に水を分散して溜めることができ、植生ユニットの植物の生育に偏りが生じない。
【００１３】
請求項２においては、植物の根付かせに土壌が必要でなくなるため、植生ユニットの重量が小さくなり屋根への負担が小さくなる。また、屋根に勾配があっても、土壌がほとんど流れないので、軒下にある樋が目詰まりを起こすことも減少する。
【００１４】
請求項３においては、植物を植生ユニットに配設する前に、予め植物マットの植物を樹脂製のメッシュに根付かせることができ、植物が樹脂製のメッシュにまで根付いてから植生ユニットに配設することが可能となり、強風によって植物マットが飛ばされたり移動したりする虞が減少する。また、着脱が容易にできるのでメンテナンスも容易にできる。
【００１５】
請求項４においては、植生ユニットを勾配屋根に配設した場合であっても、切欠から水が流れ出て植物マットのうち水下方向の植物だけが水枯れする虞がなくなる。
【００１６】
請求項５においては、植生ユニットを屋根不燃材として使用することができる。また、勾配屋根上に給水を行っても、水下方向だけに水が集中することなく、植生ユニットの植物の生育に偏りが生じない。また、植物の根付かせに土壌が必要なくなるため、植生ユニットの重量が小さくなり屋根への負担が小さくなる。そして、屋根に勾配があっても、土壌がほとんど流れないので、軒下にある樋が目詰まりを起こし難くなる。加えて、植生ユニットを勾配屋根に配設した場合であっても、植生ユニットのうち水下方向の植物だけが水枯れする虞がなくなる。
【発明を実施するための最良の形態】
【００１７】
次に、発明の実施の形態を説明する。
【実施例１】
【００１８】
図１は本発明の植生ユニット１の組み立て方法を示す斜視図、図２は本発明の植生ユニット１・１を示す左断面図、図３はメッシュ４の植生植生ユニット外枠２への取り付け方法を示す左断面図、図４は同じく斜視図、図５は植生植生ユニット外枠２を示す斜視図、図６は本発明の植生ユニット１１の第２の実施例をしめす斜視図、図７は樹脂製マット１３を示す斜視図、図８は樹脂製マット１３・１３・・・を溝板１２に固設した状態を示す左断面図、図９は同じく正面断面図、図１０はメッシュ１４の樹脂製マット１３への取り付け方法を示す斜視図である。
【００１９】
図１乃至図３に示すように、本発明の植生ユニット１は、建物の屋根１００等に配設されるものであって、金属製の植生ユニット外枠２に、樹脂製のメッシュ４を固設し、該メッシュ４の上方に所望の植物６が植栽された植物マット５が載置されるものである。以下では、図２の矢印方向Ｆを前方として説明を行なう。
【００２０】
図１乃至図３に示すように、金属製の植生ユニット外枠２は不燃性のガルバニウム鋼板等によって略箱型形状に形成されている。詳しくは、植生ユニット外枠２は、底面２Ｂと側壁２Ｌ・２Ｒと前壁２Ａとから構成されている。そして、植生ユニット外枠２の内側には底面２Ｂに対して直角上方向に左右方向に向ってのみ、複数のリブ２ｃ・２ｃ・・・が前後平行に形成されている。換言すれば、植生ユニット１を勾配のある屋根１００等に配設する際に、該リブ２ｃ・２ｃ・・・が水平方向に延びるように、つまり、雨水等が流れ落ちる方向と直角方向に向ってリブ２ｃ・２ｃ・・・が形成されている。
【００２１】
図１乃至図３に示すように、植生ユニット外枠２は、前記底面２Ｂ後端部にネジ７・７・・・等が螺挿されて、屋根１００等に固設されるものである。そして、植生ユニット外枠２の前壁２Ａは、左断面視において略Ｌ字状に形成されており、下辺２ｄが植生ユニット外枠２の底面２Ｂより下方に位置するように形成されている。また、植生ユニット外枠２の底面２Ｂの後端部は、上方に向って折り曲げられて、折り返し部２ｅが形成されている。
【００２２】
以下、図２を用いて、屋根１００上に植生ユニット１を並べて配設する手順について説明する。
植生ユニット１は、最も下側に位置する植生ユニット１から順に屋根１００上方へ配設していく。まず、板状部材を折り曲げや押し出し等の加工によって側面視クランク状に形成した係止部材８の幅方向一側を、ネジ７・７・・・等によって屋根１００の軒側（下側）の上面に傾斜方向と直角方向に位置させて固設する。このとき、該係止部材８の他側と屋根１００上面との間には空間を有し、かつ、下方が開放されるように固定する。
【００２３】
そして、この係止部材８の他側の開放された空間に植生ユニット外枠２の下辺２ｄを挿入して、係止部材８の他側が下辺２ｄと底面２Ｂの間に位置するように配設する。換言すれば、係止部材８の他端に、植生ユニット外枠２の下辺２ｄを引っ掛ける。そして、植生ユニット外枠２の底面２Ｂの後端部をネジ７・７・・・によって屋根１００上に固設する。そして、他の植生ユニット１'の植生ユニット外枠２'の下辺２ｄ'が、前記ユニットの折り返し部２ｅに引っ掛けられて、底面２Ｂ'の後端部がネジ７・７・・・等によって屋根１００へ固設される。このようにして、植生ユニット１・１・・・は、前後方向に連結されながら、屋根１００上に並べて配設される。
【００２４】
図１乃至図３に示すように、前記植生ユニット外枠２に設けられたリブ２ｃ・２ｃ・・・上には、樹脂製のメッシュ４が固設されており、該メッシュ４上に所望の植物６・６・・・が植栽された植物マット５が載置される。メッシュ４上に載置された植物マット５に植えられた植物６・６・・・は、メッシュ４下方の前記リブ２ｃ・２ｃ・・・間に溜まった水分を利用して成長し、根が延びてメッシュ４に絡むようになる。このように、植物マット５以外の土壌を無くして、植物６を植生ユニット１に強固に植え付けることができる。
【００２５】
このように、植物を育成するための植生ユニット１であって、
不燃性金属によって構成された略箱型の容器２と、
該容器２の内側底面に対して直角上方に向って並列に形成される複数本のリブ２ｃ・２ｃ・・・とを具備したので、
植生ユニット１を屋根不燃材として使用することができる。また、勾配屋根１００上に給水を行っても、水下方向だけに水が集中することなく、リブ２ｃ・２ｃ・・・の間隔毎に水を分散して溜めることができ、植生ユニット１の植物６・６・・・の生育に偏りが生じない。
【００２６】
また、前記リブ２ｃ・２ｃ・・・上に樹脂製のメッシュ４を配設したので、
植物６・６・・・の根付かせに土壌が必要でなくなり、植生ユニット１の重量が小さくなり屋根１００への負担が小さくなる。また、屋根１００に勾配があっても、土壌がほとんど流れないので、軒下にある樋が目詰まりを起こすことも少なくなる。
【００２７】
次に、メッシュ４を着脱自在にリブ２ｃ・２ｃ・・・に取り付ける方法について説明する。
図４に示すように、メッシュ４下面には、樹脂等の可撓性を有する細長い円柱部材（棒状部材）４ｂ・４ｂ・・・が横方向（左右方向、リブと平行）に固設されている。円柱部材４ｂ・４ｂ・・・は樹脂等の可撓性を有する部材であれば好適であり、メッシュ４下面に熱溶着や接着等によって固設されるものである。そして、リブ２ｃ・２ｃ・・・上面には、該円柱部材４ｂ・４ｂ・・・が押し込まれて嵌着されるための断面視略円形の溝２ｆ・２ｆ・・・が形成されている。つまり、作業者等は、メッシュ４の円柱部材４ｂ・４ｂ・・・がリブ２ｃ・２ｃ・・・の溝２ｆ・２ｆ・・・の真上に位置するように、円柱部材４ｂ・４ｂ・・・の間隔とリブ２ｃ・２ｃ・・・の間隔を一致させて、円柱部材４ｂ・４ｂ・・・を溝２ｆ・２ｆ・・・に押し込むことにより、メッシュ４をリブ２ｃ・２ｃ・・・に固定することができる。反対に、メッシュ４を上方に引っ張れば、円柱部材４ｂ・４ｂ・・・が溝２ｆ・２ｆ・・・から引っ張り出されて、メッシュ４をリブ２ｃ・２ｃ・・・から取り外すことができる。
【００２８】
なお、本実施例では断面円状の凸部（円柱部材４ｂ）と凹部（溝２ｆ）を嵌合する構成としているが、断面形状は限定するものではない。また、円柱部材４ｂと溝２ｆは植生ユニット外枠２内の長さとしているが、所定間隔毎に凹部と凸部を配置する構成とすることもできる。また、凹部をメッシュ側に凸部をリブ側に設ける構成とすることも可能である。
【００２９】
このように、前記リブ２ｃ・２ｃ・・・上に樹脂製のメッシュ４を着脱自在に配設したので、
植物６・６・・・を植生ユニット１に配設する前に、予め植物マット５の植物６・６・・・を樹脂製のメッシュ４に根付かせておくことができ、予め植物６・６・・・を樹脂製のメッシュ４にまで根付かせてから植生ユニット１に配設することが可能となり、強風によって植物マット５が飛ばされたり移動したりする虞が減少する。また、着脱が容易にできるのでメンテナンスも容易にできる。
【００３０】
次に、植生ユニット外枠２の前壁２Ａの形状について説明する。
図５に示すように、植生ユニット外枠２の前壁２Ａの上部には凹部が設けられており、植生ユニット１の前方、換言すれば勾配屋根１００に取り付けた状態において下側にだけ水が溜まり過ぎることがないように凹部から水が流れ出るようにしている。つまり、前壁２Ａの高い部分２ＡＨの高さを側壁２Ｌ・２Ｒと同程度の高さとして、前壁２Ａに形成した凹部の低い部分２ＡＬの高さをリブ２ｃの高さと同程度になるようにしている。
ここで、前壁２Ａに設ける凹部の形状は限定するものではなく、本実施例では前壁２Ａに上端から下方に向って台形状の切欠きを設ける構成としているが、矩形状や三角形状や半円形等であっても良い。また、切欠きの個数も限定するものではない。また、リブ２ｃの高さと同程度の位置に孔を開口する構成であってもよい。
【００３１】
このように、前記容器２外周の上部に切欠を設けたので、
植生ユニット１を勾配屋根１００に配設した場合であっても、切欠から水が流れ出て植物マット５のうち水下方向の植物６・６・・・だけが水枯れする虞がなくなる。
【実施例２】
【００３２】
次に、第２の実施例として、金属製の溝板１２に複数の樹脂製マット１３・１３・・・を配設する植生ユニット１１について説明する。
植生ユニット１１は、前述同様に建物の屋根１００等に配設されるものであって、図６に示すように、金属製の溝板１２に複数の樹脂製マット１３を前後方向（上下方向）に並べて連結して固設し、該樹脂製マット１３内に形成された格子上のリブ１３ｃ・１３ｃ・・・上面にメッシュ１４を固設し、該メッシュ１４の上方に所望の植物１６・１６・・・が植栽された植物マット１５が載置されるものである。以下では、図６の矢印方向Ｆを前方として説明を行なう。
【００３３】
図６及び図９に示すように、金属製の溝板１２は不燃性のガルバニウム鋼板等で正面断面視において略Ｕ字状に形成されている。詳しくは、溝板１２は、底面２Ｂと側壁２Ｌ・２Ｒとから構成されている。本実施例では、溝板１２に前後壁を形成していないが、前後壁のある容器であっても良く、限定するものではない。
溝板１２内には、複数の樹脂製マット１３・１３・・・が配設され、該樹脂製マット１３・１３・・・下面が弾性接着材２０等によって溝板１２に固設されている。
【００３４】
図７に示すように、樹脂製マット１３は、側壁１３Ｌ・１３Ｒが前壁１３Ｆや後壁１３Ｂより高く形成されている。そして、前壁１３Ｆは上端が前下方に向って折り曲げられて折り曲げ部１３ａが形成されており、図８に示すように、該折り曲げ部１３ａによって他の樹脂製マットの後壁１３Ｂ上部を挟み込むことによって、樹脂製マット１３・１３同士を連結していくものである。図７、図８、図１０に示すように、樹脂製マット１３の内側底面には縦横方向に格子状に複数のリブ１３ｃ・１３ｃ・・・が形成されており、図８に示すように、リブ１３ｃ・１３ｃ・・・で形成された格子ごとに水を溜めて植物１６・１６・・・の育成に偏りが生じないように構成されている。
【００３５】
図７及び図８に示すように、前記リブ１３ｃ・１３ｃ・・・上には、樹脂製のメッシュ１４が固設されており、該メッシュ１４上に所望の植物１６・１６・・・が植栽された植物マット１５が載置される。メッシュ１４上に載置された植物マット１５に植えられた植物は、メッシュ１４下方の前記リブ１３ｃ・１３ｃ・・・間に溜まった水分を利用して成長し、根が延びてメッシュ１４に絡むようになる。このように、植物マット１５以外の土壌を無くして、植物１６・１６・・・を植生ユニット１１に強固に植え付けることができる。
【００３６】
次に、メッシュ１４を着脱自在にリブ１３ｃ・１３ｃ・・・に取り付ける方法について説明する。
第１の実施例と同様に、メッシュ１４下面には、図１０に示すような樹脂等の可撓性を有する細長い円柱部材１４ｂ・１４ｂ・・・が縦横方向に固設されている。そして、リブ１３ｃ・１３ｃ・・・上面には、該円柱部材１４ｂ・１４ｂ・・・が押し込まれるための断面視略円形の溝１３ｆ・１３ｆ・・・が形成されている。作業者等は、メッシュ１４の円柱部材１４ｂ・１４ｂ・・・がリブ１３ｃ・１３ｃ・・・の溝１３ｆ・１３ｆ・・・の真上に位置するようにして、円柱部材１４ｂ・１４ｂ・・・を溝１３ｆ・１３ｆ・・・に押し込んで嵌着し、メッシュ１４をリブ１３ｃ・１３ｃ・・・に固設することができる。反対に、メッシュ１４を上方に引っ張れば、円柱部材１４ｂ・１４ｂ・・・が溝１３ｆ・１３ｆ・・・から引っ張り出されて、メッシュ１４をリブ１３ｃ・１３ｃ・・・から取り外すことができる。
【００３７】
次に、溝板１２・１２同士の横方向の連結について説明する。
図９に示すように、金属製の溝板１２は、側壁１２Ｌ・１２Ｒが吊子１７を介して屋根１００に押し付けられて固設されるものであり、詳しくは吊子１７の一端が釘１８等で屋根１００に固設されて該吊子１７の他端が側壁１２Ｌ・１２Ｒと一緒に折り曲げられてかしめられるものである。このとき、隣り合う溝板の側壁１２Ｌ・１２Ｒと吊子１７・１７に共通のジョイナー１９等を被せる構成にするとよい。
【００３８】
また、植物を育成する植生ユニット１１であって、
不燃性金属によって断面視略Ｕ字状に構成された容器１２に、
内部に格子状のリブ１３ｃ・１３ｃ・・・が設けられた複数の樹脂製マット１３・１３・・・を連結して並べ、
該格子状のリブ１３ｃ・１３ｃ・・・上に固設され上方に植物マット１５が配設されるメッシュ１４を配設したので、
植生ユニット１１を屋根不燃材として使用することができる。また、勾配屋根１００上に給水を行っても、水下方向だけに水が集中することなく、植生ユニット１１の植物６・６・・・の生育に偏りが生じない。また、植物６・６・・・の根付かせに土壌が必要なくなるため、植生ユニット１１の重量が小さくなり屋根１００への負担が小さくなる。そして、屋根１００に勾配があっても、土壌がほとんど流れないので、軒下にある樋が目詰まりを起こし難くなる。加えて、植生ユニット１１を勾配屋根１００に配設した場合であっても、植生ユニット１１のうち水下方向の植物６・６・・・だけが水枯れする虞がなくなる。
【図面の簡単な説明】
【００３９】
【図１】本発明の植生ユニット１の組み立て方法を示す斜視図。
【図２】本発明の植生ユニット１・１を示す左断面図。
【図３】メッシュ４の植生ユニット外枠２への取り付け方法を示す左断面図。
【図４】同じく斜視図。
【図５】植生ユニット外枠２を示す斜視図。
【図６】本発明の植生ユニット１１の第２の実施例をしめす斜視図。
【図７】樹脂製マット１３を示す斜視図。
【図８】樹脂製マット１３・１３・・・を溝板１２に固設した状態を示す左断面図。
【図９】同じく正面断面図。
【図１０】メッシュ１４の樹脂製マット１３への取り付け方法を示す斜視図。
【符号の説明】
【００４０】
１    植生ユニット
２    植生ユニット外枠
２ｆ    溝
４    メッシュ
４ｂ    円柱部材
５    植物マット
６    植物
１１    植生ユニット
１２    溝板
１３    樹脂製マット
１３ｆ    溝
１４    メッシュ
１４ｂ    円柱部材
１５    植物マット
１６    植物
【図１】
2006304743.tif 000003
【図２】
2006304743.tif 000004
【図３】
2006304743.tif 000005
【図４】
2006304743.tif 000006
【図５】
2006304743.tif 000007
【図６】
2006304743.tif 000008
【図７】
2006304743.tif 000009
【図８】
2006304743.tif 000010
【図９】
2006304743.tif 000011
【図１０】
2006304743.tif 000012